(57)【要約】      （修正有）【課題】強風で衣服ハンガーが物干し竿から落下する不具合を防止する衣服ハンガー吊り下げ装置を提供する。【解決手段】物干し竿の外周胴に内面が当接する当接部を一端に形成するとともに指で把持する把持部１が他端に形成された第１のはさみ部２と第２のはさみ部３と第１及び第２のはさみ部２，３を軸支する軸支部４と当接部同士が近付く方向に付勢する付勢手段５とよりなる物干し竿係止部と、この物干し竿係止部より垂下されたフック吊り下げ部・支持部６と一体化しフック吊り下げ部・支持部６側に弓形に曲がった着脱自在突起部７がフック吊り下げ部・支持部６に近付く方向に付勢するフック吊り下げ部兼付勢ばね８とフック吊り下げ部兼付勢ばね８に吊り下げられる衣服ハンガーとよりなる。衣服ハンガーを吊り下げるフック吊り下げ部兼付勢ばね８は開放していない。【選択図】図１
0003191299.tif 000002
【実用新案登録請求の範囲】
【請求項１】
物干し竿の外周胴に内面が当接する当接部を一端に形成するとともに指で把持する把持部が他端に形成された第１のはさみ部と第２のはさみ部と前記第１のはさみ部と前記第２のはさみ部とを軸支する軸支部と前記第１のはさみ部と前記第２のはさみ部とを前記当接部同士が近付く方向に付勢する付勢手段とよりなる物干し竿係止部と前記物干し竿係止部より垂下されて衣服ハンガーの着脱をワンタッチででき且つ脱落防止機能を持つ着脱自在突起部と一体化したフック吊り下げ部兼付勢ばねと前記フック吊り下げ部兼付勢ばねに吊り下げられる衣服ハンガーとよりなる。前記衣服ハンガーを吊り下げるフック吊り下げ部兼付勢ばねは開放していないことを特徴とする衣服ハンガー吊り下げ装置
【請求項２】
衣服ハンガーのフック部が三角形等の閉じた形状になっていることを特徴とするクローズトフック衣服ハンガー
【考案の詳細な説明】
【技術分野】
【０００１】
本考案は、第１はさみ部と第２はさみ部の両下端に衣服ハンガーをワンタッチで着脱でき且つ脱落防止機能を持つ着脱自在突起部と一体化したフック吊り下げ部兼付勢ばねを設けた衣服ハンガー吊り下げ装置付き洗濯ばさみと、衣服ハンガーのフック部を閉じた形状にしたクローズトフック衣服ハンガーに関するものである。
【背景技術】
【０００２】
洗濯物を衣服ハンガーに吊り下げて物干し竿に干す場合、衣服ハンガーが物干し竿から落下しないように衣服ハンガーのフック部を洗濯ばさみ等で押さえて固定しているが、強風で洗濯ばさみ等からずれて物干し竿から落下し、洗濯し直さなければならない。また衣服ハンガーを収納籠から取り出す際、他の衣服ハンガーのフック部に引っ掛かり取り出すのに時間がかかるという問題点がある。
【先行技術文献】
【特許文献】
【０００３】
【特許文献１】特開２０１３−１１９０３１
【考案の概要】
【考案が解決しようとする課題】
【０００４】
本考案は、洗濯ばさみ等で押さえている衣服ハンガーのフック部が、強風で洗濯ばさみ等からずれて衣服ハンガーが物干し竿から落下する。また衣服ハンガーを収納籠から取り出す際、他の衣服ハンガーのフック部に引っ掛かり取り出すのに時間がかかるという二つの課題を解決しようとするものである。
【課題を解決するための手段】
【０００５】
本考案は、物干し竿の外周胴に内面が当接する当接部を一端に形成するとともに指で把持する把持部が他端に形成された第１のはさみ部と第２のはさみ部と前記第１のはさみ部と前記第２のはさみ部とを軸支する軸支部と、前記第１のはさみ部と前記第２のはさみ部とを前記当接部同士が近付く方向に付勢する付勢手段とよりなる物干し竿係止部と、前記物干し竿係止部より垂下されて衣服ハンガーの着脱をワンタッチででき且つ脱落防止機能を持つ着脱自在突起部と一体化したフック吊り下げ部兼付勢ばねと、前記フック吊り下げ部兼付勢ばねに吊り下げられる衣服ハンガーとよりなる。前記フック吊り下げ部兼付勢ばねは開放していないことを特徴とする衣服ハンガー吊り下げ装置と、衣服ハンガーのフック部が三角形等の閉じた形状になっていることを特徴とするクローズトフック衣服ハンガーを提供することにより課題を解決している。
【考案の効果】
【０００６】
第１はさみ部と第２はさみ部の両下端に衣服ハンガーをワンタッチで着脱でき且つ脱落防止機能を持つ着脱自在突起部と一体化したフック吊り下げ部兼付勢ばねを設けること及び、衣服ハンガーのフック部を三角形等の閉じた形状にすることにより、強風で衣服ハンガーが物干し竿から落下する不具合の防止と衣服ハンガーを収納籠から取り出す際、他の衣服ハンガーのフック部に引っ掛からずに短時間に取り出すことができる。
【図面の簡単な説明】
【０００７】
【図１】本考案の衣服ハンガー吊り下げ装置付き洗濯ばさみの立体図である。
【図２】本考案のクローズトフック衣服ハンガーの正面図である。
【考案を実施するための形態】
【０００８】
衣服ハンガーをフック吊り下げ部兼付勢ばねに掛ける場合、衣服ハンガー吊り下げ装置付き洗濯ばさみの把持部を指で内側に押すと、第１はさみ部と第２はさみ部が相互に遠ざかる方向に開く。その状態を保ったまま衣服ハンガー吊り下げ装置付き洗濯ばさみを物干し竿に挟み込み、把持部に加えた力を無くすと付勢ばねの力により、衣服ハンガー吊り下げ装置付き洗濯ばさみは第１はさみ部と第２はさみ部に内接する物干し竿にしっかり固定される。
次に衣服ハンガーのフック部を着脱自在突起部の上部側から下方に引くと、衣服ハンガーのフック部の圧力で着脱自在突起部が吊り下げ部・支持部から離れる方向に押し開かれるので、フック部を着脱自在突起部の上部側から下部側に通過させて、物干し竿係止部より垂下されたフック吊り下げ部兼付勢ばねに掛けることができる。
一方、衣服ハンガーをフック吊り下げ部兼付勢ばねから着脱自在突起部の外側に取り出す場合、フック吊り下げ部兼付勢ばねに掛けられた衣服ハンガーのフック部を持ち上げて、着脱自在突起部の下部側から上方に引き上げると、衣服ハンガーのフック部の圧力で着脱自在突起部がフック吊り下げ部・支持部から離れる方向に押し開かれるので、着脱自在突起部の下部側から上部側に通過させて、外側に取り出すことができる。
【０００９】
フック吊り下げ部・支持部は、形状は板状又は線状とし、材質はプラスチック又は金属とし、強風でも耐えられる強度を持ったものにする。
【００１０】
フック吊り下げ部兼付勢ばねは着脱自在突起部と一体化しており、衣服ハンガーのフック部の直径より少し大きめで且つフック部を包み込むような円形とする。さらに、フック吊り下げ部・支持部と着脱自在突起部が常に閉じた状態を保つために、着脱自在突起部がフック吊り下げ・支持部に近付く方向に付勢する機能を持たせる。
これにより、衣服ハンガーのフック部がフック吊り下げ部兼付勢ばねに確実に収納される。また衣服ハンガーをフック吊り下げ部兼付勢ばねに掛ける際、フック部が着脱自在突起部を通過するときは自在に開き、通過後は自在に閉じる。衣服ハンガーをフック吊り下げ部兼付勢ばねから取り出す場合も同様である。
このフック吊り下げ部兼付勢ばねの形状と付勢する機能により、衣服ハンガーがフック吊り下げ部兼付勢ばねから着脱自在突起部をすり抜けて落下することを防止する。
【００１１】
衣服ハンガーのフック部は、三角形等の閉じた形状にする。
【実施例】
【００１２】
以下、添付図面に従って実施例を説明する。
１は耐久性のあるプラスチック等適宜素材にて一体形成された洗濯ばさみの把持部、２は物干し竿に一方で内接する第１はさみ部、３は物干し竿に他方で内接する第２はさみ部、４は把持部の力によって第１はさみ部と第２はさみ部で開閉を可能とする軸支部、５は第１はさみ部２と第２はさみ部３が物干し竿の外周胴に内面が当接する当接部同士が近付く方向に付勢する付勢ばね、６は第１はさみ部２と第２はさみ部３の両下端とフック吊り下げ部兼付勢ばね８を接続するフック吊り下げ部・支持部、７はフック吊り下げ部兼付勢ばね８に掛けられた衣服ハンガーが落下するのを防止する着脱自在突起部であり、衣服ハンガーのフック部１０をフック吊り下げ部兼付勢ばね８に掛ける場合は、上部側から下部側へ、外部に取り出す場合は下部側から上部側へ通過させるが、その際フック吊り下げ部・支持部６と着脱自在突起部７の隙間が拡がる方向に押し開かれる。そして衣服ハンガーのフック部１０が通過後は、フック吊り下げ部兼付勢ばね８の付勢により、着脱自在突起部７がフック吊り下げ部・支持部６に近付く方向に力を受けて、フック吊り下げ部・支持部６と着脱自在突起部７の隙間がない閉じた状態に戻る。８は衣服ハンガーのフック部１０を保持するフック吊り下げ部兼付勢ばねであり、衣服ハンガーのフック部１０が着脱自在突起部７を通過する際、フック吊り下げ部・支持部６に近付く方向に付勢することにより、フック吊り下げ部・支持部６と着脱自在突起部７を隙間のない閉じた状態にし、衣服ハンガーが着脱自在突起部７からすり抜けて落下するのを防止する。
【００１３】
９は洗濯物を吊り下げる衣服ハンガーのハンガー部、１０は衣服ハンガーのフック部で、フック吊り下げ部兼付勢ばね８からの落下を防止すること、フック吊り下げ部兼付勢ばね８に簡単に掛けることができること及び、衣服ハンガー収納籠から取り出す際、他の衣服ハンガーのフック部１０に引っ掛からないように三角形等の閉じた形状とする。
【符号の説明】
【００１４】
１  把持部
２  第１はさみ部
３  第２はさみ部
４  軸支部
５  付勢ばね
６  フック吊り下げ部・支持部
７  着脱自在突起部
８  フック吊り下げ部兼付勢ばね
９  ハンガー部
１０フック部
【図１】
0003191299.tif 000003
【図２】
0003191299.tif 000004
【手続補正書】
【提出日】平成26年4月9日(2014.4.9)
【手続補正１】
【補正対象書類名】実用新案登録請求の範囲
【補正対象項目名】全文
【補正方法】変更
【補正の内容】
【実用新案登録請求の範囲】
【請求項１】
物干し竿の外周胴に内面が当接する当接部を一端に形成するとともに指で把持する把持部が他端に形成された第１のはさみ部と第２のはさみ部と前記第１のはさみ部と前記第２のはさみ部とを軸支する軸支部と前記第１のはさみ部と前記第２のはさみ部とを前記当接部同士が近付く方向に付勢する付勢手段とよりなる物干し竿係止部と前記物干し竿係止部より垂下されたフック吊り下げ部・支持部と一体化しフック吊り下げ部・支持部側に弓形に曲がった着脱自在突起部がフック吊り下げ部・支持部に近付く方向に付勢するフック吊り下げ部兼付勢ばねと前記フック吊り下げ部兼付勢ばねに吊り下げられる衣服ハンガーとよりなり、前記衣服ハンガーを吊り下げるフック吊り下げ部兼付勢ばねは開放していないことを特徴とする衣服ハンガー吊り下げ装置。
【請求項２】
前記衣服ハンガーのフック部が三角形等の閉じた形状になっていることを特徴とする請求項１記載の衣服ハンガー吊り下げ装置。
【手続補正２】
【補正対象書類名】明細書
【補正対象項目名】全文
【補正方法】変更
【補正の内容】
【考案の詳細な説明】
【技術分野】
【０００１】
本考案は、第１はさみ部と第２はさみ部の両下端に衣服ハンガーをワンタッチで着脱でき且つ脱落防止機能を持つ着脱自在突起部と一体化したフック吊り下げ部兼付勢ばねを設けた衣服ハンガー吊り下げ装置付き洗濯ばさみと、衣服ハンガーのフック部を閉じた形状にしたクローズドフック衣服ハンガーに関するものである。
【背景技術】
【０００２】
洗濯物を衣服ハンガーに吊り下げて物干し竿に干す場合、衣服ハンガーが物干し竿から落下しないように衣服ハンガーのフック部を洗濯ばさみ等で押さえて固定しているが、強風で洗濯ばさみ等からずれて物干し竿から落下し、洗濯し直さなければならない。また衣服ハンガーを収納籠から取り出す際、他の衣服ハンガーのフック部に引っ掛かり取り出すのに時間がかかるという問題点がある。
【先行技術文献】
【特許文献】
【０００３】
【特許文献１】特開２０１３−１１９０３１
【考案の概要】
【考案が解決しようとする課題】
【０００４】
本考案は、洗濯ばさみ等で押さえている衣服ハンガーのフック部が、強風で洗濯ばさみ等からずれて衣服ハンガーが物干し竿から落下する。また衣服ハンガーを収納籠から取り出す際、他の衣服ハンガーのフック部に引っ掛かり取り出すのに時間がかかるという二つの課題を解決しようとするものである。
【課題を解決するための手段】
【０００５】
本考案は、物干し竿の外周胴に内面が当接する当接部を一端に形成するとともに指で把持する把持部が他端に形成された第１のはさみ部と第２のはさみ部と前記第１のはさみ部と前記第２のはさみ部とを軸支する軸支部と、前記第１のはさみ部と前記第２のはさみ部とを前記当接部同士が近付く方向に付勢する付勢手段とよりなる物干し竿係止部と、前記物干し竿係止部より垂下されて衣服ハンガーの着脱をワンタッチででき且つ脱落防止機能を持つ着脱自在突起部と一体化したフック吊り下げ部兼付勢ばねと、前記フック吊り下げ部兼付勢ばねに吊り下げられる衣服ハンガーとよりなる。前記フック吊り下げ部兼付勢ばねは開放していないことを特徴とする衣服ハンガー吊り下げ装置と、衣服ハンガーのフック部が三角形等の閉じた形状になっていることを特徴とするクローズドフック衣服ハンガーを提供することにより課題を解決している。
【考案の効果】
【０００６】
第１はさみ部と第２はさみ部の両下端に衣服ハンガーをワンタッチで着脱でき且つ脱落防止機能を持つ着脱自在突起部と一体化したフック吊り下げ部兼付勢ばねを設けること及び、衣服ハンガーのフック部を三角形等の閉じた形状にすることにより、強風で衣服ハンガーが物干し竿から落下する不具合の防止と衣服ハンガーを収納籠から取り出す際、他の衣服ハンガーのフック部に引っ掛からずに短時間に取り出すことができる。
【図面の簡単な説明】
【０００７】
【図１】本考案の衣服ハンガー吊り下げ装置付き洗濯ばさみの立体図である。
【図２】本考案のクローズドフック衣服ハンガーの正面図である。
【考案を実施するための形態】
【０００８】
衣服ハンガーをフック吊り下げ部兼付勢ばねに掛ける場合、衣服ハンガー吊り下げ装置付き洗濯ばさみの把持部を指で内側に押すと、第１はさみ部と第２はさみ部が相互に遠ざかる方向に開く。その状態を保ったまま衣服ハンガー吊り下げ装置付き洗濯ばさみを物干し竿に挟み込み、把持部に加えた力を無くすと付勢ばねの力により、衣服ハンガー吊り下げ装置付き洗濯ばさみは第１はさみ部と第２はさみ部に内接する物干し竿にしっかり固定される。
次に衣服ハンガーのフック部を着脱自在突起部の上部側から下方に引くと、衣服ハンガーのフック部の圧力で着脱自在突起部が吊り下げ部・支持部から離れる方向に押し開かれるので、フック部を着脱自在突起部の上部側から下部側に通過させて、物干し竿係止部より垂下されたフック吊り下げ部兼付勢ばねに掛けることができる。
一方、衣服ハンガーをフック吊り下げ部兼付勢ばねから着脱自在突起部の外側に取り出す場合、フック吊り下げ部兼付勢ばねに掛けられた衣服ハンガーのフック部を持ち上げて、着脱自在突起部の下部側から上方に引き上げると、衣服ハンガーのフック部の圧力で着脱自在突起部がフック吊り下げ部・支持部から離れる方向に押し開かれるので、着脱自在突起部の下部側から上部側に通過させて、外側に取り出すことができる。
【０００９】
フック吊り下げ部・支持部は、形状は板状又は線状とし、材質はプラスチック又は金属とし、強風でも耐えられる強度を持ったものにする。
【００１０】
フック吊り下げ部兼付勢ばねは着脱自在突起部と一体化しており、衣服ハンガーのフック部の直径より少し大きめで且つフック部を包み込むような円形とする。さらに、フック吊り下げ部・支持部と着脱自在突起部が常に閉じた状態を保つために、着脱自在突起部がフック吊り下げ・支持部に近付く方向に付勢する機能を持たせる。
これにより、衣服ハンガーのフック部がフック吊り下げ部兼付勢ばねに確実に収納される。また衣服ハンガーをフック吊り下げ部兼付勢ばねに掛ける際、フック部が着脱自在突起部を通過するときは自在に開き、通過後は自在に閉じる。衣服ハンガーをフック吊り下げ部兼付勢ばねから取り出す場合も同様である。
このフック吊り下げ部兼付勢ばねの形状と付勢する機能により、衣服ハンガーがフック吊り下げ部兼付勢ばねから着脱自在突起部をすり抜けて落下することを防止する。
【００１１】
衣服ハンガーのフック部は、三角形等の閉じた形状にする。
【実施例】
【００１２】
以下、添付図面に従って実施例を説明する。
１は耐久性のあるプラスチック等適宜素材にて一体形成された洗濯ばさみの把持部、２は物干し竿に一方で内接する第１はさみ部、３は物干し竿に他方で内接する第２はさみ部、４は把持部の力によって第１はさみ部と第２はさみ部で開閉を可能とする軸支部、５は第１はさみ部２と第２はさみ部３が物干し竿の外周胴に内面が当接する当接部同士が近付く方向に付勢する付勢ばね、６は第１はさみ部２と第２はさみ部３の両下端とフック吊り下げ部兼付勢ばね８を接続するフック吊り下げ部・支持部、７はフック吊り下げ部兼付勢ばね８に掛けられた衣服ハンガーが落下するのを防止する着脱自在突起部であり、衣服ハンガーのフック部１０をフック吊り下げ部兼付勢ばね８に掛ける場合は、上部側から下部側へ、外部に取り出す場合は下部側から上部側へ通過させるが、その際フック吊り下げ部・支持部６と着脱自在突起部７の隙間が拡がる方向に押し開かれる。そして衣服ハンガーのフック部１０が通過後は、フック吊り下げ部兼付勢ばね８の付勢により、着脱自在突起部７がフック吊り下げ部・支持部６に近付く方向に力を受けて、フック吊り下げ部・支持部６と着脱自在突起部７の隙間がない閉じた状態に戻る。８は衣服ハンガーのフック部１０を保持するフック吊り下げ部兼付勢ばねであり、衣服ハンガーのフック部１０が着脱自在突起部７を通過する際、フック吊り下げ部・支持部６に近付く方向に付勢することにより、フック吊り下げ部・支持部６と着脱自在突起部７を隙間のない閉じた状態にし、衣服ハンガーが着脱自在突起部７からすり抜けて落下するのを防止する。
【００１３】
９は洗濯物を吊り下げる衣服ハンガーのハンガー部、１０は衣服ハンガーのフック部で、フック吊り下げ部兼付勢ばね８からの落下を防止すること、フック吊り下げ部兼付勢ばね８に簡単に掛けることができること及び、衣服ハンガー収納籠から取り出す際、他の衣服ハンガーのフック部１０に引っ掛からないように三角形等の閉じた形状とする。
【符号の説明】
【００１４】
１  把持部
２  第１はさみ部
３  第２はさみ部
４  軸支部
５  付勢ばね
６  フック吊り下げ部・支持部
７  着脱自在突起部
８  フック吊り下げ部兼付勢ばね
９  ハンガー部
１０フック部